(57)【特許請求の範囲】
【請求項１】
電話回線に接続されたＡＤＳＬモデムであって、前記電話回線に接続された他のＡＤＳＬモデムがＡＤＳＬ周波数帯域を使用中であるか否かを検出する検出部と、使用中であることを検出した場合にはＡＤＳＬ周波数帯域への信号エネルギーを出さないように制御する制御部とを備え、前記検出部は、前記電話回線からの入力信号中の１つのキャリアをＦＦＴ復調するＦＦＴ復調部と、該ＦＦＴ復調部の出力信号を正規化して正規化復調信号を生成する正規化回路と、前記正規化回路の出力信号を１シンボル分遅延した１シンボル遅延信号を生成するシンボル遅延バッファ部と、前記正規化回路の出力信号の複素共役を生成する複素共役部と、前記１シンボル遅延信号と前記複素共役とを乗算して差分信号を生成する乗算部と、前記差分信号が予め定められたしきい値以内にある状態が特定のシンボル数の間継続すると、前記電話回線のＡＤＳＬ帯域は前記他のＡＤＳＬモデムにより通信中であると判定する判定部と、を備えたＡＤＳＬモデム。
【請求項２】
前記入力信号中の１つのキャリアはＡＤＳＬ周波数帯域中の第６４番キャリアであることを特徴とする請求項１に記載のＡＤＳＬモデム。
【請求項３】
前記判定部は、前記差分信号の位相成分が予め定められたしきい値以内にあることを少なくとも特定のシンボル数連続して検出し、引き続くシンボル間は前記連続検出しない状態を１周期として、該１周期を予め指定された数だけ検出した時、前記電話回線のＡＤＳＬ帯域は前記他のＡＤＳＬモデムにより通信中であると判定するものであることを特徴とする、請求項１に記載のＡＤＳＬモデム。
【請求項４】
前記特定のシンボル数は３である、請求項３に記載のＡＤＳＬモデム。
【請求項５】
前記制御部は、前記電話回線に接続された回線トランスと、該回線トランクの二次側とＡＤＳＬ信号送出部との間に接続された終端抵抗の抵抗値を切り替える終端抵抗切替回路とを備え、前記検出部により前記他のＡＤＳＬモデムが前記電話回線を使用中であることが検出されている間は前記終端抵抗切替回路を制御して前記信号送出部と前記回線トランクの二次側との間をハイインピーダンスにし、前記検出部により前記他のＡＤＳＬモデムが前記電話回線を使用中でないことが検出されている間は前記終端抵抗切替回路を制御して前記信号送出部と前記回線トランクの二次側との間をローインピーダンスにするようにするインピーダンス制御部を備えることを特徴とする、請求項１に記載のＡＤＳＬモデム。
【請求項６】
前記検出部は、ＡＤＳＬ帯域とは別帯域で前記他のＡＤＳＬモデムとポーリングによるメッセージ交換により前記他のＡＤＳＬ帯域が前記ＡＤＳＬ周波数帯域を使用中か否かを判定するようにし、前記ポーリングによるメッセージ交換はアナログモデムの使用周波数帯域で行うようにした、請求項１に記載のＡＤＳＬモデム。
【請求項７】
前記検出部は、アナログモデムを備え、該アナログモデムは６００Ω終端回路と、該６００Ω終端回路に並列に接続された直流バイパス回路と、前記アナログモデムのフックオン状態で前記直流バイパス回路を遮断しフックオフ状態で前記直流バイパス回路を導通させるスイッチとを備え、前記アナログモデムのフックオン状態で音声帯域を使用して前記ポーリングによるメッセージ交換を行うようにしたことを特徴とする、請求項６に記載のＡＤＳＬモデム。
【請求項８】
前記ポーリングによるメッセージ交換はアナログモデムのホーム・フォーン・ライン・ネットワーキング・アライアンス帯域で行うようにした、請求項６に記載のＡＤＳＬモデム。
【請求項９】
前記他のＡＤＳＬモデムがＡＤＳＬ帯域を使用中である場合は、前記他のＡＤＳＬモデムとの通信をホーム・フォーン・ライン・ネットワーキング・アライアンス帯域で行い、前記ホーム・フォーン・ライン・ネットワーキング・アライアンス帯域を介して受信したメッセージをＡＤＳＬ帯域に多重して送出するようにした、請求項１、６、又は８に記載のＡＤＳＬモデム。
【発明の詳細な説明】
【０００１】
【発明の属する技術分野】
本発明は、単一の電話回線に複数のＡＤＳＬモデムが接続されている場合でもＡＤＳＬモデム同士で信号が重畳することなく、且つ、インピーダンス不整合を起こすことなく、安定した高速データ通信を実現可能にしたＡＤＳＬモデム(Asymmetric Digital Subscriber Line)モデムに関する。
【０００２】
【従来の技術】
従来、ＡＤＳＬモデムはポイント・ツー・ポイント接続のシステム構成で使われていた。ＳＯＨＯ(Small Office & Home Office)で使う場合でも、オフィス又はユーザ宅内はＬＡＮでマルチポイント接続するが、交換局内のＤＳＬＡＭ(Digital Subscriber Line Access Multiplexer)とオフィス又はユーザ宅内のＡＤＳＬルータとの間はポイント・ツー・ポイントの接続形態であった。
【０００３】
しかしながら、ＡＤＳＬモデムのパソコン内蔵化が進むに従い、既にパソコン内蔵が標準的なアナログモデムと併合又は内蔵化される傾向にある。即ち、アナログモデムとＡＤＳＬモデムとが単一のボード上で形成されたり、単一のモジュール内に形成されたりする傾向にある。このため、アナログモデムとＡＤＳＬモデムとが内蔵されたパソコンには単一の電話回線ケーブルが接続される形態となる。
【０００４】
更に、インターネットの普及によりユーザは宅内又はオフィスで一本の電話回線に複数のパソコン（内蔵ＡＤＳＬモデムとアナログモデムを含むもの）を接続する場合が増加している。
【０００５】
【発明が解決しようとする課題】
このため、１つのＡＤＳＬモデムがデータ通信中に、他のＡＤＳＬモデムがデータ通信を始めると電話回線上で信号が重畳され、両方のＡＤＳＬモデムがデータ通信を行うことが出来なくなってしまうという問題があった。
また、従来の交換回線用のアナログモデムは呼制御を行う必要があったためＮＣＵ（網制御装置）を内蔵しているので、フックオン状態では物理的に電話回線をマルチポイント接続しても、電気的には絶縁された状態を保持できたが、ＡＤＳＬでは呼制御が不要なので、ＮＣＵを持たず、従って従来のＡＤＳＬモデムでは一本の電話回線にＡＤＳＬモデムを複数接続すると、１００Ωインピーダンスが崩れ、高速通信が望めなくなるという問題があった。
【０００６】
本発明の目的は、上記の問題に鑑み、ＳＯＨＯ又は一般ユーザ宅に設置されている単一の電話回線にＡＤＳＬモデムが複数接続されている場合にも、ＡＤＳＬモデム同士が信号重畳することなく、また、インピーダンス不整合を起こすことなく、安定した高速データ通信を実現可能なＡＤＳＬモデムを提供することにある。
【０００７】
【課題を解決するための手段】
上記の目的を達成するために、請求項１に発明により提供されるものは、電話回線に接続されたＡＤＳＬモデムであって、電話回線に接続された他のＡＤＳＬモデムがＡＤＳＬ周波数帯域を使用中であるか否かを検出する検出部と、使用中であることを検出した場合にはＡＤＳＬ周波数帯域への信号エネルギーを出さないように制御する制御部とを備え、検出部は、電話回線からの入力信号中の１つのキャリアをＦＦＴ復調するＦＦＴ復調部と、ＦＦＴ復調部の出力信号を正規化して正規化復調信号を生成する正規化回路と、正規化回路の出力信号を１シンボル分遅延した１シンボル遅延信号を生成するシンボル遅延バッファ部と、正規化回路の出力信号の複素共役を生成する複素共役部と、１シンボル遅延信号と複素共役とを乗算して差分信号を生成する乗算部と、差分信号が予め定められたしきい値以内にある状態が特定のシンボル数の間継続すると、電話回線のＡＤＳＬ帯域は他のＡＤＳＬモデムにより通信中であると判定する判定部と、を備えたＡＤＳＬモデムである。
【０００８】
他のＡＤＳＬモデムがＡＤＳＬ帯域を使用中のときは、ＡＤＳＬ周波数帯域に信号エネルギーを出さないようにしたので、電話回線上でＡＤＳＬ信号が重畳することはなく、且つ終端インピーダンスが１００Ωから崩れることはない。
【０００９】
また、上記差分信号が所定しきい値以内にある状態が所定シンボル数継続すると、この信号は位相や周波数の変動のない信号と判定できるのでノイズではなくてＡＤＳＬ信号が受信されたと判定できる。
請求項２によれば、入力信号中の上記１つのキャリアはＡＤＳＬ周波数帯域中の一定のトーンに対応する第６４番キャリアであることが好ましい。
【００１０】
第６４番キャリアは常にトーンを出し続ける信号に相当するので、このキャリアを利用すれば、ＡＤＳＬ帯域が使用中か否かを確実に判定することができる。
請求項３によれば、上記判定部は、差分信号の位相成分が予め定められたしきい値以内にあることを少なくとも特定のシンボル数連続して検出し、引き続くシンボル間は連続検出しない状態を１周期として、１周期を予め指定された数だけ検出した時、電話回線のＡＤＳＬ帯域は他のＡＤＳＬモデムにより通信中であると判定するものであることが好ましい。
【００１１】
これにより電話回線のＡＤＳＬ帯域は他のＡＤＳＬモデムにより通信中であるとの判定をより確実に行うことができる。
請求項４によれば、特定のシンボル数は３であることが好ましい。
ＩＴＵ−Ｔ  Ｇ．９９２．２Ａｎｎｅｘ−Ｃ規格によれば、近端漏話の影響を受けない期間はノイズ１周期あたり最小で３シンボルであるので、上記のようにこれを利用すればＡＤＳＬ帯域が使用中か否かの判定ができる。
【００１２】
請求項５によれば、上記制御部は、電話回線に接続された回線トランスと、回線トランクの二次側とＡＤＳＬ信号送出部との間に接続された終端抵抗の抵抗値を切り替える終端抵抗切替回路とを備え、検出部により他のＡＤＳＬモデムが電話回線を使用中であることが検出されている間は終端抵抗切替回路を制御して信号送出部と回線トランクの二次側との間をハイインピーダンスにし、検出部により他のＡＤＳＬモデムが電話回線を使用中でないことが検出されている間は終端抵抗切替回路を制御して信号送出部と回線トランクの二次側との間をローインピーダンスにするインピーダンス制御部を備えることが好ましい。
【００１３】
他のＡＤＳＬモデムが電話回線を使用中である場合は、終端抵抗切替回路により回線トランクの二次側との間をハイインピーダンスにするので、電話回線上でのＡＤＳＬ信号の重畳は確実に防止され、且つ終端インピーダンスが１００Ωから崩れることも確実に防止できる。
請求項６によれば、上記検出部は、ＡＤＳＬ帯域の信号を検出することに代えて、ＡＤＳＬ帯域とは別帯域で他のＡＤＳＬモデムとポーリングによるメッセージ交換により他のＡＤＳＬモデムがＡＤＳＬ周波数帯域を使用中か否かを判定するようにし、ポーリングによるメッセージ交換はアナログモデムの使用周波数帯域で行うようにしたことが好ましい。
【００１４】
メッセージを交換することにより他のＡＤＳＬモデムがＡＤＳＬ帯域を使用中か否かを直接的に問い合わせて判定することができる。
また、ＡＤＳＬモデムがアナログモデムの機能も併せ持っている場合に、アナログモデムの使用帯域でメッセージ交換ができる。
【００１５】
請求項８によれば、請求項７において、検出部は、アナログモデムを備え、アナログモデムは６００Ω終端回路と、６００Ω終端回路に並列に接続された直流バイパス回路と、アナログモデムのフックオン状態で直流バイパス回路を遮断しフックオフ状態で直流バイパス回路を導通させるスイッチとを備え、アナログモデムのフックオン状態で音声帯域を使用してポーリングによるメッセージ交換を行うようにしたことが好ましい。
【００１６】
アナログモデムのフックオン状態で音声帯域を使用してポーリングによるメッセージ交換を行うようにしたので、メッセージ交換を行っても交換局に対する呼制御は行われない。
請求項９によれば、ポーリングによるメッセージ交換はアナログモデムのホーム・フォーン・ライン・ネットワーキング・アライアンス帯域で行うようにしてもよい。
【００１７】
ＡＤＳＬモデムがＨｏｍｅ  ＰＮＡ帯域での通信機能をもっている場合に、このＨｏｍｅ  ＰＮＡ帯域を利用してポーリングによるメッセージ交換が可能である。
請求項１０によれば、他のＡＤＳＬモデムがＡＤＳＬ帯域を使用中である場合は、他のＡＤＳＬモデムとの通信をホーム・フォーン・ライン・ネットワーキング・アライアンス帯域で行い、ホーム・フォーン・ライン・ネットワーキング・アライアンス帯域を介して受信したメッセージをＡＤＳＬ帯域に多重して送出するようにしてもよい。
【００１８】
これにより、他のＡＤＳＬモデムがＡＤＳＬ帯域を使用中である場合でもＡＤＳＬモデムはその使用が終了するまで待機することなくＡＤＳＬ帯域を使って通信が可能になる。
【００１９】
【発明の実施の形態】
図１は本発明の一実施の形態によるＡＤＳＬモデムの構成を示すブロック図である。同図において、ＡＤＳＬモデム１がパソコン２に接続されている。これに代えてＡＤＳＬモデム１はパソコン２に内蔵されていてもよい。
ＡＤＳＬモデム１は、ＡＤＳＬ帯域信号検出部１１と、回線制御部１２と、インピーダンス制御部１３と、ＡＤＳＬ信号送出／受信部と、ＡＤＳＬ信号変復調部１４とを備えている。
【００２０】
動作において、ＡＤＳＬ帯域信号検出部１１は、電話回線上に他のＡＤＳＬモデムからのＡＤＳＬ帯域を使った信号が有るか否かを知るために、電話回線上の信号の周波数と強さとを常時測定している。パソコン２から初期起動信号が回線制御部１２に与えられると、回線制御部１２は電話回線上に他のＡＤＳＬモデムからのＡＤＳＬ帯域を使った信号が存在しているか否かを示す制御信号をインピーダンス制御部１３及びＡＤＳＬ信号変復調部１５に与える。
【００２１】
回線制御部１２は、パソコン２からのＡＤＳＬモデムの初期起動信号及びＡＤＳＬ帯域信号検出部１１の出力信号に応じて、電話回線上に他のＡＤＳＬモデムからのＡＤＳＬ帯域を使った信号が有るか否かを示す制御信号を発生する。
インピーダンス制御部１３は、回線制御部１２からの制御信号が電話回線上に他のＡＤＳＬモデムからのＡＤＳＬ帯域を使った信号が存在しないことを示している時は、ＡＤＳＬモデム１の終端抵抗をアナログモデムにおける標準的な１００ΩインピーダンスとしてＡＤＳＬ通信を可能にする。回線制御部１２からの制御信号が電話回線上に他のＡＤＳＬモデムからのＡＤＳＬ帯域を使った信号が存在していることを示している時は、後述するアナログスイッチをオフにしてＡＤＳＬモデム１の終端抵抗をハイインピーダンスにしてＡＤＳＬ周波数帯域への信号エネルギーを出さないように制御し、それによりＡＤＳＬ通信ができないようにする。
【００２２】
ＡＤＳＬ信号送出／受信部１４は、ＡＤＳＬ信号変復調部１５から出力される変調信号をインピーダンス制御部１３に送出するドライバと、インピーダンス制御部１３からの受信信号をＡＤＳＬ信号変復調部１５に引き渡すレシーバとを備えている。
ＡＤＳＬ信号変復調部１５は、回線制御部１２からの制御信号が電話回線上に他のＡＤＳＬモデムからのＡＤＳＬ帯域を使った信号が存在しないことを示している時は、パソコン２からの送信信号を変調してＡＤＳＬ信号送出／受信部１４に引き渡したり、ＡＤＳＬ信号送出／受信部１４からの受信信号を復調してパソコン２に引き渡したりする。ＡＤＳＬ信号変復調部１５はまた、回線制御部１２からの制御信号が電話回線上に他のＡＤＳＬモデムからのＡＤＳＬ帯域を使った信号が存在していることを示している場合は、その制御信号に応じて通信不可のメッセージを作成してパソコン２に送る。
【００２３】
こうして、電話回線上に他のＡＤＳＬモデムからのＡＤＳＬ帯域を使った信号が存在している場合には、ＡＤＳＬ通信ができないようにすることにより、電話回線上でＡＤＳＬ信号が重畳することを避けることができる。また、１本の電話回線に複数のＡＤＳＬモデムが接続されて終端抵抗が１００Ωインピーダンスから崩れるという問題は回避できる。
【００２４】
図２は図１に示した装置の中のＡＤＳＬ帯域信号検出部１１の構成の一例を示すブロック図である。同図において、２１はＦＦＴ復調部、２２は正規化部、２３はシンボル遅延バッファ部、２４は複素共役処理部、２５は乗算器、２６は加算器、２７は判定器、２８はシンボルカウンタである。
図３はＡＤＳＬ信号に含まれるキャリア信号を示す波形図である。同図に示すように、ＡＤＳＬ信号は、上り信号として＃６番キャリアから＃３１番キャリアがあり、下り信号として＃３２番キャリアから＃１２７番キャリアがあり、その他の信号として＃１２８番キャリアから＃２５５番キャリアがある。これらのキャリアの内、＃６４番キャリアは、常に一定周波数、一定位相及び一定振幅のトーンを出し続けている状態に対応しているので、本発明の実施の形態においては、この＃６４番キャリアの有無を検出することが、電話回線上のＡＤＳＬ信号の有無を検出するのに適していることに着目した。
【００２５】
図２に示したＡＤＳＬ帯域信号検出部１１の動作において、電話回線からの入力データはＡＤ変換された後にＦＦＴ復調部２１により復調される。ＦＦＴ復調部２１には周波数弁別器も内蔵されていて、＃６４番キャリアと同じ周波数の信号のみをＦＦＴ復調する。復調信号のベクトル図は図２にベクトル図ａで示す。この復調信号を正規化回路２２により正規化して図２にベクトル図ｂで示すように半径１のベクトルにする。正規化回路２２としては通常、逆数ＲＯＭとその乗算回路、ＡＧＣ回路等が用いられる。
【００２６】
正規化された信号は、１シンボル遅延バッファ２３に入力されて１シンボル分が遅延される共に、平行して複素共役処理回路２４にて複素共役処理をされる。１シンボル遅延バッファ２３の出力と複素共役処理回路２４の出力とはベクトル図ｃに示されている。
１シンボル遅延バッファ２３の出力と複素共役処理回路２４の出力とは乗算器２５により乗算されて、正規化復調信号のシンボル間の差分信号が得られる。この差分信号はベクトル図ｄに示されているように、正規化された信号同士の乗算であるため、半径１の円上に存在する。
【００２７】
乗算器２５の出力と所定のしきい値との差分が加算器２６により計算される。加算器２６の出力である位相差分は判定部２７にて一定値以内の位相差分であるかどうかが判定される。位相差分が一定値以内であれば、入力データは＃６４番キャリアであるトーンであると考えられる。
シンボルカウンタ２８は、判定部２７の出力である位相差分が一定値以内の位相差分である場合をカウントする。
【００２８】
シンボルカウンタ２８の出力により、一定のシンボル数だけ連続して位相差分が一定以内の小ささであった場合、トーンが検出されたと判定でき、従って、他のＡＤＳＬモデムが電話回線上でデータ通信中であると判定できる。
日本の電話回線は隣接するＩＳＤＮからの周期ノイズが重畳する場合がある。ＩＴＵ−Ｔ  Ｇ．９９２．２Ａｎｎｅｘ−Ｃ規格によれば、近端漏話の影響を受けない時間はノイズ１周期あたり最小で３シンボル分しかない。そこで、３シンボル間連続して位相差が十分小さく、引き続く６〜７シンボル間は位相差分が大きい場合が一定回数以上繰り返されれば、ＡＤＳＬトーンを受信していると識別し、従って、他のＡＤＳＬモデムが電話回線上でデータ通信中であると判定する。
【００２９】
他のＡＤＳＬモデムが電話回線上でデータ通信中であると判定された時は、シンボルカウンタ２８からＡＤＳＬ帯域信号検出信号が出力され、これが図１の装置における回線制御部１２に入力されて制御信号が生成され、その制御信号がインピーダンス制御部１３及びＡＤＳＬ信号変復調部１５に供給される。
図４は図１に示した装置におけるインピーダンス制御部１３の構成を示す回路図である。図４において、インピーダンス制御部１３は送信ドライバ４１，４４と、１００Ωの終端インピーダンスを形成するための５０Ωのインピーダンス４２，４５と、アナログスイッチ４３，４６と、変圧器４７と、受信ドライバ４８とを備えている。
【００３０】
インピーダンス制御部１３の動作は次の通りである。最初は回線制御部１２からの制御信号によりアナログスイッチ４３及び４６をオフにしておく。これにより、ＡＤＳＬモデムの終端インピーダンスはハイインピーダンスとなる。
ＡＤＳＬ帯域信号検出部１１が、電話回線上で他のＡＤＳＬモデムによるデータ通信中であることを検出すると、回線制御部１２からの制御信号によりＡＤＳＬ信号変復調部１５を介してパソコン２に対して通信ができない旨のメッセージを送る。こうして、複数のＡＤＳＬモデムによる信号の重畳が避けられる。
【００３１】
一方、ＡＤＳＬ帯域信号検出部１１が、電話回線上で他のＡＤＳＬモデムによるデータ通信中ではないことを検出すると、回線制御部１２からの制御信号によりアナログスイッチ４３及び４６をオンにする。これによりこのＡＤＳＬモデムは１００Ωの終端インピーダンスを持つことになり、他のＡＤＳＬモデムが電話回線を使用中ではない時にのみＡＤＳＬ通信が可能になる。
【００３２】
本発明の他の実施の形態によれば、図１のＡＤＳＬ帯域信号検出部１１によりＡＤＳＬ帯域が使用中か否かを判定することに代えて、ＡＤＳＬ帯域とは別帯域で他のＡＤＳＬモデムとポーリングによるメッセージ交換により他のＡＤＳＬ帯域がＡＤＳＬ周波数帯域を使用中か否かを判定するようにする。
図５は上記別帯域の例を示す図である。図示のように、ＡＤＳＬ帯域の外に、従来のアナログモデムが使用するＰＯＴＳ(Plane Old Telephone System)帯域と、Ｈｏｍｅ  ＰＮＡ (Home Phone Line Networking Alliance)帯域とがある。
【００３３】
したがって、一つの例では、ポーリングによるメッセージ交換はアナログモデムの使用周波数帯域であるＰＯＴＳ帯域で行うようにする。
ただし、アナログモデムを使用してメッセージ交換をする場合、従来のままではメッセージ交換に先立ち電話回線をオフフックすることになり、単に他のモデムとメッセージ交換をしたいだけにもかかわらず交換局への呼制御が働いてしまうという問題がある。
【００３４】
この問題を解決するために、本発明の実施の形態により、図６に示すアナログモデムの網制御回路（ＮＣＵ）が提案される。
図６において、この網制御回路は、アナログモデム変復調部６１と、６００Ω終端回路６２とからなる従来のアナログモデムの構成に加えて、この６００Ω終端回路に並列に接続された直流ループ制御回路６３を備えている。直流ループ制御回路６３内の直流ループにはフォトモスリレー６４が設けられている。６００Ω終端回路はＰＯＴＳ帯域の直流成分以外の帯域の信号を終端する。直流ループ制御回路６３は、このアナログモデムのオフフック時のＰＯＴＳ帯域の直流成分を終端する。
【００３５】
動作において、このアナログモデムがオンフック時は、フックオフ／オン制御信号をＧＮＤレベルにしてフォトモスリレー６４をオフにし、それにより直流ループが形成されないようにしておく。この状態でこのアナログモデムを使用すれば、呼制御は行われず、したがって交換局へのアクセスは行われずにモデム同士でメッセージ交換が可能である。このメッセージ交換により、他のＡＤＳＬモデムが同一電話回線を使用中か否かを問い合わせればよい。
【００３６】
このアナログモデムがオフフック時は、フックオフ／オン制御信号をＶｃｃレベルにてフォトモスリレー６４をオンにし、それにより直流ループが形成されるようにする。この状態でこのアナログモデムを使用すれば、呼制御が行われ、交換局へのアクセスを介して通常の通信が行われる。
他の例では、ポーリングによるメッセージ交換はアナログモデムのＨｏｍｅ  ＰＮＡ帯域（ホーム・フォーン・ライン・ネットワーキング・アライアンス帯域）で行うようにする。
【００３７】
この場合、他のＡＤＳＬモデムがＡＤＳＬ帯域を使用中である場合は、当該他のＡＤＳＬモデムがＡＤＳＬ帯域の使用を終了するまでＡＤＳＬ帯域の使用を待機してもよいが、図７に示すように、待機しないで他のＡＤＳＬモデムとの通信をホーム・フォーン・ライン・ネットワーキング・アライアンス帯域で行い、ホーム・フォーン・ライン・ネットワーキング・アライアンス帯域を介して受信した内容を、ＡＤＳＬモデム内のルーティング機能を利用してＡＤＳＬ帯域に多重して送出してもよい。即ち、図７に示したネットワークにおいて、パソコン７１と７２が電話回線７３に接続されている状態で、パソコン７２がＡＤＳＬ帯域を使用中であることが、前述の実施の形態によりＡＤＳＬ帯域を検出することにより、又はメッセージ交換により検出されると、パソコン７１はパソコン７２がＡＤＳＬ帯域の使用を終了するまで待機するのではなく、Ｈｏｍｅ  ＰＮＡ帯域を用いてパソコン７１からパソコン７２に電話回線７３を介して信号を伝送し、パソコン７２ではＨｏｍｅ  ＰＮＡ帯域で受信されたパソコン７１からの信号をパソコン７２内のルーティング機能を利用してＡＤＳＬ帯域の信号に変換して、通信中のＡＤＳＬ帯域の信号に多重化して電話回線７３に伝送する。これにより、電話回線上のＡＤＳＬ帯域を効率よく使用することが可能になる。
【００３８】
【発明の効果】
本発明の請求項１の発明によれば、他のＡＤＳＬモデムがＡＤＳＬ帯域を使用中のときは、ＡＤＳＬ周波数帯域に信号エネルギーを出さないようにしたので、電話回線上でＡＤＳＬ信号が重畳することはなく、且つ終端インピーダンスが１００Ωから崩れることはない。
【００３９】
請求項２によれば、差分信号が所定しきい値以内にある状態が所定シンボル数継続すると、この信号は位相や周波数の変動のない信号と判定できるのでノイズではなくてＡＤＳＬ信号が受信されたと判定できる。
請求項３によれば、第６４番キャリアをＡＤＳＬ帯域が使用中か否かを判定するためのキャリアとし使用することにより、確実に判定ができる。
【００４０】
請求項４によれば、電話回線のＡＤＳＬ帯域は他のＡＤＳＬモデムにより通信中であるとの判定をより確実に行うことができる。
請求項５によれば、ＩＴＵ−Ｔ  Ｇ．９９２．２Ａｎｎｅｘ−Ｃ規格によれば、近端漏話の影響を受けない期間はノイズ１周期あたり最小で３シンボルであるので、これを利用すればＡＤＳＬ帯域が使用中か否かの判定が確実にできる。
【００４１】
請求項６によれば、他のＡＤＳＬモデムが電話回線を使用中である場合は、終端抵抗切替回路により回線トランクの二次側との間をハイインピーダンスにするので、電話回線上でのＡＤＳＬ信号の重畳は確実に防止され、且つ終端インピーダンスが１００Ωから崩れることも確実に防止できる。
請求項７によれば、メッセージを交換することにより他のＡＤＳＬモデムがＡＤＳＬ帯域を使用中か否かを直接的に問い合わせて判定することができる。
【００４２】
請求項８によれば、ＡＤＳＬモデムがアナログモデムの機能も併せ持っている場合に、アナログモデムの使用帯域でメッセージ交換ができる。
請求項９によれば、アナログモデムのフックオン状態で音声帯域を使用してポーリングによるメッセージ交換を行うようにしたので、メッセージ交換を行っても交換局に対する呼制御は行われない。
【００４３】
請求項１０によれば、ＡＤＳＬモデムがＨｏｍｅ  ＰＮＡ帯域での通信機能をもっている場合に、このＨｏｍｅ  ＰＮＡ帯域を利用してポーリングによるメッセージ交換が可能である。
請求項１１によれば、他のＡＤＳＬモデムがＡＤＳＬ帯域を使用中である場合でもＡＤＳＬモデムはその使用が終了するまで待機することなくＡＤＳＬ帯域を使って通信が可能になる。
【図面の簡単な説明】
【図１】本発明の一実施の形態によるＡＤＳＬモデムの構成を示すブロック図である。
【図２】図１に示した装置の中のＡＤＳＬ帯域信号検出部１１の構成の一例を示すブロック図である。
【図３】ＡＤＳＬ信号に含まれるキャリア信号を示す波形図である。
【図４】図１に示した装置におけるインピーダンス制御部１３の構成を示す回路図である。
【図５】ＡＤＳＬ帯域とは別帯域の例を示す図である。
【図６】本発明の他の実施の形態によるアナログモデムの網制御回路（ＮＣＵ）を示す回路図である。
【図７】本発明の他の実施の形態によるネットワークの構成を示す図である。
【符号の説明】
１…ＡＤＳＬモデム
２…パソコン
１１…ＡＤＳＬ帯域信号検出部
１２…回線制御部
１３…インピーダンス制御部
１４…ＡＤＳＬ信号送出／受信部
１５…ＡＤＳＬ信号変復調部
２１…ＦＦＴ復調部
２２…正規化部
２３…シングル遅延バッファ
２４…複素共役処理部
２５…乗算器
２６…加算器
２７…判定部
２８…シンボルカウンタ
４３、４６…アナログスイッチ
６１…アナログモデム変復調部
６２…６００Ω終端回路
６３…直流ループ
７１…パソコン
７２…パソコン
７３…電話回線
【図１】
0003729694.tif 000002
【図２】
0003729694.tif 000003
【図３】
0003729694.tif 000004
【図４】
0003729694.tif 000005
【図５】
0003729694.tif 000006
【図６】
0003729694.tif 000007
【図７】
0003729694.tif 000008